(57)【要約】【課題】ベルト・チェ−ン等の動力伝達手段で連結されたローラ等を、外部から回転力を加えて回転（等速回転）させるローラ駆動装置を提供することにある。【解決手段】動力伝達手段で連結されたローラの軸１１に回転力を加えて駆動させるローラ駆動装置において、前記軸１１に回転力を付与する回転軸４を回転自在に保持するＤ形穴３ａを有するホルダ３を備え、回転時のみ前記回転軸４を保持するための摺動手段１、２を備える。【選択図】      図２
2004270802.tif 000002
【特許請求の範囲】
【請求項１】
動力伝達手段で連結されたローラの軸に回転力を加えて駆動させるローラ駆動装置において、前記軸に回転力を付与する回転軸を回転自在に保持するＤ形穴を有するホルダと、回転時のみ前記回転軸を一体保持するための摺動手段と、を備えることを特徴とするローラ駆動装置。
【請求項２】
前記ホルダのＤ形穴が前記ローラの前記軸に設けたＤ形カットに整合することを特徴とする請求項１記載のローラ駆動装置。
【請求項３】
位置決めされた主軸との軸間距離がばらつく従軸に回転力を加えて駆動させるローラ駆動装置において、前記従軸に回転力を付与する回転軸を回転自在に保持するＤ形穴のホルダと、前記Ｄ形穴のホルダの前面にあって軸間距離と直交する方向の前記従軸のずれを防ぐための小判状の穴を有したガイドと、回転時のみ前記従軸を保持するための摺動手段を備えることを特徴とするローラ駆動装置。
【請求項４】
請求項１、２又は３に記載されたローラ駆動装置を備えたことを特徴とする画像形成装置。
【発明の詳細な説明】
【０００１】
【発明の属する技術分野】
本発明は、ベルト・チェ−ン等の動力伝達手段で連結されたローラ等を外部から回転力を加えて回転させるローラ駆動装置に関するものである。
【０００２】
【従来の技術】
ベルト・チェ−ン等の動力伝達手段で連結されたローラ等を、外部から回転力を加えて回転させるために、回転力伝達のための歯車やカップリング等を使用することは感光体ベルト等において知られている。
【０００３】
【発明が解決しようとする課題】
しかしながら、上記従来技術で使用される歯車やカップリング等は、スペ−ス的制約や時間的制約によってこれらを使用できない箇所があり、ベルト・チェ−ン等の動力伝達手段で連結されたローラ等に外部から回転力を加えて回転させることは不可能であった。
そこで本発明の目的は、このような問題を解決し、ベルト・チェ−ン等の動力伝達手段で連結されたローラ等を、外部から回転力を加えて回転（等速回転）させるローラ駆動装置を提供することにある。
【０００４】
【課題を解決するための手段】
前記の課題を解決するために、請求項１記載の発明では、動力伝達手段で連結されたローラの軸に回転力を加えて駆動させるローラ駆動装置において、前記軸に回転力を付与する回転軸を回転自在に保持するＤ形穴を有するホルダを備え、回転時のみ前記回転軸を保持するための摺動手段を備えるローラ駆動装置を最も主要な特徴とする。
請求項２記載の発明では、前記ホルダのＤ形穴が前記ローラの前記軸に設けたＤ形カットに対応する請求項１記載のローラ駆動装置を主要な特徴とする。
請求項３記載の発明では、位置決めされた主軸との軸間距離がばらつく従軸に回転力を加えて駆動させるローラ駆動装置において、前記従軸に回転力を付与する回転軸を回転自在に保持するＤ形穴のホルダと、前記Ｄ形穴のホルダの前面にあって軸間距離と直交する方向の前記従軸のずれを防ぐための小判状の穴を有したガイドと、回転時のみ前記従軸を保持するための摺動手段を備えるローラ駆動装置を最も主要な特徴とする。
請求項４記載の発明は、請求項１、２又は３に記載されたローラ駆動装置を備えたことを特徴とする。
【０００５】
【発明の実施の形態】
以下、図面により本発明の実施の形態を詳細に説明する。図１は本発明によるローラ駆動装置を使用する複写機、プリンタ等の感光体（ベルト）を示す概略図である。図は具体的にはベルト・チェ−ン等１７の動力伝達手段で主軸１２と従軸１１が連結された複写機、プリンタ等の感光体（ベルト）１８である。感光体ベルト１８は、主軸１２と従軸１１に設けられたベルト支持ローラ（図示せず）によってエンドレスに張設されて走行する。
【０００６】
図２は本発明によるローラ駆動装置の実施の形態を示す断面図である。図２では、その軸端部にＤカット１１ａ（後述の図３参照）を施した従軸１１が、小判状の穴２ａ（後述の図３参照）を有するガイド（摺動手段）２に挿入された位置決め位置１４にある状態を示している。
ベルト・チェ−ン等の動力伝達手段で連結されたローラ等は例えば従軸１１に固定されており、これを回転（等速回転）させるために本発明のローラ駆動装置が提案されている。
このローラ駆動装置は、位置決めされた主軸１２との軸間距離がばらつく従軸１１（ローラ）に回転力を加えて駆動させるローラ駆動装置であり、従軸１１に回転力を付与する回転軸４と、回転軸４の前端外周にて一体化されて一体回転自在且つＤ形穴３ａを有したホルダ３と、Ｄ形穴のホルダ３の外形側にあって軸１１、１２間の軸間距離と直交する方向Ｘへの従軸１１のずれを防ぐための小判状の穴２ａを有した筒状のガイド（摺動手段）２と、回転時のみ従軸１１を回転自在に支持するためのガイドブシュ（摺動手段）１を備える。摺動手段２としてのガイド２も回転時のみ従軸１１を支持する。ガイド２は、ガイドブシュ１内を軸方向に相対移動できると共に、回転止め６によりガイドブシュ１と共に回転止めされている。
中空筒状のガイドブシュ１の内部には軸受９ａを介して回転ブッシュ９が回転在に支持されており、回転ブシュ９の後部外周にはプーリ１０が配置されている。回転ブシュ９の後端には溝２０が形成されている。
【０００７】
後端部にツマミ８とピン１９を備えた回転軸４は、図２の状態では、回転ブシュ９と相対回転するが、後述するようにピン１９が溝２０内に嵌合することにより一体回転可能となる。
ガイド２の穴２ａ内に位置するホルダ３のＤ形状の穴３ａ内に、従軸１１のＤカット１１ａが嵌合することにより、駆動軸４と従軸１１とが一体化する。
図２から見られるように、回転軸４が、位置決め位置１４から従軸１１側に前進した位置が回転位置１３となり、後退した位置が待機位置１５である。最初に感光体１８（図１）を、図示しない治具によって、主軸１２の両端を位置決めの基準としてセットする。
次に回転軸４を待機位置１５から位置決め位置１４に移動し、従軸１１の位置を小判状の穴を有したガイド２内でａ（Ｘ方向）の位置を決める。ここで回転軸４はＤ形穴ホルダ３に固定されガイド２内で回転可能となっており、またガイド２はガイドブシュ１内を摺動できる。
【０００８】
図３はＤ形穴ホルダのＤ形状部分および従軸のＤカット形状部分を示す概略断面図である。図３に示すように、Ｄ形穴ホルダ３のＤ形状穴３ａは主軸１２と従軸１１の軸間距離がばらついてもばらつきを吸収緩和できる程度に１ｍｍ弱大きめ、すなわち、Ｄ形穴ホルダ３のＤ形状穴Ａ、従軸１１のＤカット１１ａ形状部分Ｂとすると、Ａ−Ｂ≦１にしてある。
本実施の形態では、ガイドブシュ１に対するガイド２の位置が、待機位置１５、位置決め位置１４、回転位置１３の各ポジションにて軽停止するために、ガイドブシュ（摺動手段）１の突起１ａと連係するクリック手段（凹所）２１をガイド２の外周に軸方向に所定の配置にて設けた（図２参照）。
ガイド２（ガイドブシュ１を含めても良い）は、回り止め６によって回転を阻止され、更にガイド２の小判穴２ａの長手方向（Ｙ方向）に保持されてＸ方向へのずれａの発生を抑えている。Ｌは、主軸１２と従軸１１との間の距離である。
【０００９】
次に回転軸４を位置決め位置１４から回転位置１３にツマミ８を回転しながら移動すると、従軸１１のＤカット１１ａに回転自在のＤ形穴のホルダ３の穴形状部分３ａが合致した位置で嵌り込む。
この時回転軸４に組み付けられているピン１９が回転ブシュ９の溝２０に入り込み回転軸４と回転ブシュ９は一緒に回転する。さらに回転軸４の外側に位置する回転ブシュ９の外周にはプ−リ１０を取り付けてこれを図示しないモ−タと連結し等速で回転させることが可能である。
このようにして外部から回転力を加えて、ベルト・チェ−ン等の動力伝達手段で連結されたローラ（従軸１１）等を、回転（等速回転）させることができる。上記各実施形態に示したローラ駆動装置は、例えば複写機、プリンタ、ファクシミリ装置等の電子写真式画像形成装置の作像部（感光体、帯電装置、露光装置、現像装置、転写装置、定着装置）を構成する感光体を駆動する手段として利用することができる。
【００１０】
【発明の効果】
以上説明したように、請求項１によれば、ベルト・チェ−ン等の動力伝達手段で連結されたローラ等を、回転（等速回転）させるローラ駆動装置が、容易に、カップリング脱着に要するような時間を掛けずに実施できる。
請求項２によれば、回転軸とローラとの連結が緊密となり、回転軸の回転を効率良くローラに伝達することができる。
請求項３によれば、ホルダの小判状の穴でａ方向のずれを抑え、Ｄ形穴のホルダと被回転部の軸端部のＤカットによって、位置決めされた主軸との軸間距離がばらつく従軸側に回転力を加えて駆動させるローラ駆動装置を提供できる。
請求項４によれば、上記各請求項によって達成される作用、効果を備えた画像形成装置を得ることができる。
【図面の簡単な説明】
【図１】本発明によるローラ駆動装置を使用する複写機、プリンタ等の感光体（ベルト）を示す概略図である。
【図２】本発明によるローラ駆動装置の実施の形態を示す断面図である。
【図３】Ｄ形穴ホルダのＤ形状部分および従軸のＤカット形状部分を示す概略断面図である。
【符号の説明】
１    ガイドブシュ（摺動手段）
２    ガイド（摺動手段）
２ａ  ガイドの小判状穴
３    Ｄ形穴ホルダ
３ａ  Ｄ形穴ホルダのＤ形穴部分
４    回転軸
１１    ローラ（従軸）
１１ａ  ローラのＤカット部分
１２    主軸
【図１】
2004270802.tif 000003
【図２】
2004270802.tif 000004
【図３】
2004270802.tif 000005